(57)【要約】【課題】メモリを効率的に利用するだけでなく、複数の視聴者が共有利用する場合であっても、視聴者に応じた最適なＥＰＧが表示されるようにＥＰＧデータを記録できるテレビジョン受信装置を提供すること。【解決手段】ＥＰＧデータ記録処理制御部（１９５）は、ユーザからのＥＰＧデータ取得指示を受けると、視聴時間記録テーブル５１に記録された、当該取得指示を受けた時間に対応する時間帯における番組ジャンル毎の視聴時間に応じて、視聴時間の長い番組ジャンルに係わるＥＰＧデータを優先的にＥＰＧデータ記録用メモリ（１９２）に記録する。視聴者が、ＥＰＧ表示を指示すると、視聴時間記録テーブル５１を参照し、視聴時間の長いジャンルに属する番組をＥＰＧ画面に優先的に表示する。【選択図】図１
2010093701.tif 000002
【特許請求の範囲】
【請求項１】
ユーザの指示を契機に受信されたＥＰＧデータをメモリに記録し、ＥＰＧ表示を行うテレビジョン受信装置において、
番組ジャンル毎に、当該番組ジャンルに属する番組の視聴時間を、所定の時間帯毎に記録する視聴時間記録部と、
ユーザからのＥＰＧデータ取得指示を受けると、前記視聴時間記録部に記録された、当該取得指示を受けた時間に対応する時間帯における番組ジャンル毎の視聴時間に応じて、視聴時間の長い番組ジャンルに係わるＥＰＧデータを優先的にメモリに記録するＥＰＧデータ記録処理制御部とを備え、
視聴時間の長い番組ジャンルに属する番組の情報をＥＰＧ画面に優先的に表示することを特徴とするテレビジョン受信装置。
【請求項２】
前記ＥＰＧデータ記録処理制御部は、メモリの残存容量を監視し、当該残存容量が所定容量以下になると、前記番組ジャンル毎の視聴時間に応じて、番組ジャンル毎のメモリ記録容量を割り当て、前記メモリに記録されている全ＥＰＧデータについて、ジャンル毎の総ＥＰＧデータ量を算出し、前記メモリに記録されている、あるジャンルの総ＥＰＧデータ量が、当該あるジャンルに対応する前記割り当てられたメモリ記録容量を超えている場合には、超過する分のＥＰＧデータを削除することを特徴とする請求項１に記載のテレビジョン受信装置。
【請求項３】
前記ＥＰＧデータ記録処理制御部は、前記番組ジャンル毎の視聴時間に応じて、番組ジャンル毎のメモリ記録容量を割り当て、割り当てられたメモリ記録容量まで、それぞれ、番組ジャンル毎の受信ＥＰＧデータを記録することを特徴とする請求項１に記載のテレビジョン受信装置。
【発明の詳細な説明】
【技術分野】
【０００１】
本発明は、ＥＰＧデータを受信・記録するテレビジョン受信装置に係わり、特に、ＥＰＧデータを視聴傾向に合わせて記録するテレビジョン受信装置に関する。
【背景技術】
【０００２】
従来から、テレビジョン受信装置における放送番組の選局のためにＥＰＧ（電子番組表）が用いられ、視聴者が、例えば、テレビジョン受信装置にＥＰＧデータ（ＳＩ：Service Information）の取得処理を指示すると、当該受信装置は、放送局が送出するＥＰＧデータを受信・記録する。
そして、視聴者が、ＥＰＧ表示を指示すると、前記テレビジョン受信装置は、当該受信装置に記録されているＥＰＧデータに様々な処理を施し、表示装置に表示する。
【０００３】
なお、前記ＳＩとは番組選択の利便性のために規定された各種情報を意味し、(社)電波産業会において制定された規格(ＡＲＩＢ規格)で定義されている。ＳＩは、ＴＳ（Transport stream）中のISO/IEC13818-1でユーザ定義可能として開放された領域を使用して、ＴＳに多重化されて放送局などから送信されており、テレビジョン受信装置に対して、ＥＩＴ等のＥＰＧに係わる各種情報を提供する。
前記ＥＩＴは、イベント(番組を表すことが多い)情報を記述したテーブルで、前述したＳＩに含まれる各種情報の一つである。番組ごとに、開始時刻、番組時間、番組名、出演者、番組のジャンル等の情報が前記テーブルに記述される。テレビジョン受信装置は、主に、ＥＩＴをもとにＥＰＧを作成する。
【０００４】
また、現在ではデジタル放送の普及に伴い多数の番組が放送され、特に、欧州では、同一時間帯に約１０００番組もの番組が放送されている。
このように、多数の番組に係わるＥＰＧデータを受信・記録すると、テレビジョン受信装置のメモリ容量が不足することがある。
【０００５】
メモリ容量が不足する場合には、テレビジョン受信装置に搭載するメモリの容量を増やせばよいが、メモリ容量を増やすと製品価格が上昇するため、単純にメモリ容量を増やすことはできない。
【０００６】
そこで、メモリを効率的に利用することでメモリ容量不足を解決するテレビジョン受信装置が様々提案されている（特許文献１参照）。
このようなメモリ容量不足を解決する方法の一例として、番組ジャンル毎に当該ジャンルに属する番組の総視聴時間をテレビジョン受信装置に記録し、視聴時間の長いジャンルの番組に係わるＥＰＧデータを優先的にメモリに記録する方法が提案されている。
【０００７】
図４は、番組ジャンル毎に当該ジャンルに属する番組の総視聴時間を記録した視聴時間記録テーブル１０１の一例を示す図で、当該テーブル１０１には、ジャンル（情報）が記録されるジャンル欄１０１ａ、ジャンル欄１０１ａに記録されているジャンルに属する番組の総視聴時間が記録される視聴時間欄が設けられている。
【０００８】
図４の例では、テレビジョン受信装置は、視聴時間の長いジャンル：映画、ドラマに係わる番組のＥＰＧデータを優先的にメモリに記録する。一方、視聴時間が短いジャンルに係わる番組のＥＰＧデータ、例えば、ジャンル：ニュース、アニメに係わる番組のＥＰＧデータについては必要最小限しかメモリに記録しない。
【特許文献１】特開２００５−６５２９７号公報
【発明の開示】
【発明が解決しようとする課題】
【０００９】
ところで、テレビジョン受信装置は家族で利用されることが多い。例えば、３人家族、父（会社員）、母（専業主婦）、子供（小学生）の家族で、従来技術で説明したテレビジョン受信装置を使用する場合を想定する。
このような場合、例えば、朝８：００頃、父（会社員）は出社前にニュース番組を視聴し、昼１２：００頃、母（専業主婦）はドラマ番組を視聴し、１６：００頃、子供（小学生）はアニメ番組を視聴することが考えられる。
【００１０】
ここで、例えば、父が朝８：００頃、ニュース番組を視聴しようとして、新たに、ＥＰＧデータの取得処理を前記テレビジョン受信装置に指示すると、当該受信装置は、視聴時間の長いジャンル：映画、ドラマに係わる番組のＥＰＧデータを優先的に記録するが、父が見たいニュース番組のＥＰＧデータについては、記録されなかったり、あるいは、必要最小限しか記録されないことがある。
それ故、ＥＰＧ表示を指示しても、映画、ドラマに係わる番組情報が主に表示され、視聴したいニュースに係わる番組情報はあまり表示されないことになる。
【００１１】
このように、従来のテレビジョン受信装置ではメモリを効率的に利用できても、各時間帯で頻繁に視聴される番組のジャンルに応じて、ＥＰＧデータを記録することができず、複数の視聴者が共有利用する場合には不便であった。
【００１２】
本発明は、かかる実情に鑑みてなされたものであり、メモリを効率的に利用するだけでなく、複数の視聴者が共有利用する場合であっても、視聴者に応じた最適なＥＰＧが表示されるようにＥＰＧデータを記録できるテレビジョン受信装置を提供することを目的とする。
【課題を解決するための手段】
【００１３】
第１の技術手段は、ユーザの指示を契機に受信されたＥＰＧデータをメモリに記録し、ＥＰＧ表示を行うテレビジョン受信装置において、番組ジャンル毎に、当該番組ジャンルに属する番組の視聴時間を、所定の時間帯毎に記録する視聴時間記録部と、ユーザからのＥＰＧデータ取得指示を受けると、前記視聴時間記録部に記録された、当該取得指示を受けた時間に対応する時間帯における番組ジャンル毎の視聴時間に応じて、視聴時間の長い番組ジャンルに係わるＥＰＧデータを優先的にメモリに記録するＥＰＧデータ記録処理制御部とを備え、視聴時間の長い番組ジャンルに属する番組の情報をＥＰＧ画面に優先的に表示することを特徴とするテレビジョン受信装置である。
【００１４】
第２の技術手段は、第１の技術手段において、前記ＥＰＧデータ記録処理制御部は、メモリの残存容量を監視し、当該残存容量が所定容量以下になると、前記番組ジャンル毎の視聴時間に応じて、番組ジャンル毎のメモリ記録容量を割り当て、前記メモリに記録されている全ＥＰＧデータについて、ジャンル毎の総ＥＰＧデータ量を算出し、前記メモリに記録されている、あるジャンルの総ＥＰＧデータ量が、当該あるジャンルに対応する前記割り当てられたメモリ記録容量を超えている場合には、超過する分のＥＰＧデータを削除することを特徴とする。
【００１５】
第３の技術手段は、第１の技術手段において、前記ＥＰＧデータ記録処理制御部は、前記番組ジャンル毎の視聴時間に応じて、番組ジャンル毎のメモリ記録容量を割り当て、割り当てられたメモリ記録容量まで、それぞれ、番組ジャンル毎の受信ＥＰＧデータを記録することを特徴とする。
【発明の効果】
【００１６】
本発明により、各時間帯で頻繁に視聴される番組のジャンルに応じてＥＰＧデータを記録することができるので、各視聴者に最適なＥＰＧを表示することができる。
【発明を実施するための最良の形態】
【００１７】
まず、本発明に係わるテレビジョン受信装置における視聴時間の記録方法について説明する。ここでは、テレビジョン受信装置は、ユーザの指示を契機に受信されたＥＰＧデータをメモリに記録し、ＥＰＧ表示を行うものとする。
【００１８】
図１は、本発明に係わるテレビジョン受信装置において記録される視聴時間記録テーブル５１の一例を示した図である。
５１ａは、ジャンル欄で、視聴番組のジャンルが記録される。
５１ｂは、視聴時間欄で、例えば、４時間毎に区分された時間帯毎における、ジャンル欄５１ａに記録されているジャンルに属する番組の総視聴時間が記録される。図示の例では、総視聴時間は、分単位で記録される。
【００１９】
視聴者が、例えば、ニュース番組（ジャンル：ニュース）を８：００（午前８時）〜８：３０まで３０分間視聴すると、本発明に係わるテレビジョン受信装置は、ジャンル：ニュースにおける視聴時間８：００〜の欄５１ｃに記録されている視聴時間に、新たに視聴時間“３０”を加算記録する。
【００２０】
視聴時間記録テーブル５１からも明らかなように、８：００頃（８：００〜）においては、ニュース番組の視聴時間が長く、１２：００頃（１２：００〜）においては、ドラマ番組の視聴時間が長く、１６：００頃（１６：００〜）においては、アニメ番組の視聴時間が長い傾向がある。
【００２１】
次に、視聴者が、前記テレビジョン受信装置にＥＰＧデータ取得処理の実行を指示した場合に、当該受信装置において実行されるＥＰＧデータ取得処理について説明する。
視聴者が、リモコン等を操作して、前記テレビジョン受信装置にＥＰＧデータを取得するように指示する。
前記指示を受けたテレビジョン受信装置は、各放送局が放送するデジタル放送信号（ＴＳ）を順次受信し、当該デジタル放送信号に多重化されている放送番組毎のＥＰＧデータを当該装置内のメモリに記録する。
【００２２】
このとき、記録するＥＰＧデータ量が、前記メモリの容量を超えると判断されると、以下の処理を実行する。なお、超えないと判断されると、そのまま、受信したＥＰＧデータの記録処理を続行する。
【００２３】
記録するＥＰＧデータ量が、前記メモリの容量を超えると判断された場合、前記テレビジョン受信装置は、図１の視聴時間記録テーブル５１を参照し、上記のＥＰＧデータ取得指示を受けた時間に対応する時間帯における総視聴時間を算出する。
例えば、８：００頃に上記指示を行うと、前記テレビジョン受信装置は、視聴時間８：００〜の欄（列）に記録されている総視聴時間を算出する。図１の場合は、２５０分が算出される。
【００２４】
そして、前記視聴時間８：００〜の欄におけるジャンル毎の視聴時間を前記総視聴時間（２５０分）で除算した値を算出する。例えば、
ジャンル：ニュースの場合には、１５０／２５０＝０．６、
ジャンル：スポーツの場合には、５／２５０＝０．０２、
ジャンル：情報の場合には、４０／２５０＝０．１６、
が算出される。
【００２５】
前記算出した各数値に対して、前記テレビジョン受信装置におけるＥＰＧデータ記録用メモリの容量を乗算し、ジャンル毎に記録できるＥＰＧデータ量を算出、即ち、ジャンル毎のメモリ記録容量を割り当てる。例えば、ＥＰＧデータ記録用メモリ容量が１１（Mbyte）の場合には、
ジャンル：ニュースとして、６．６（Mbyte）、
ジャンル：スポーツとして、０．２２（Mbyte）、
ジャンル：情報として、１．７６（Mbyte）、
が割り当てられる。
【００２６】
以後、割り当てられたジャンル毎のメモリ記録容量を基準にして、当該ジャンルに係わるＥＰＧデータの記録・削除処理を行う。
例えば、前記メモリにジャンル：スポーツの全ＥＰＧデータが０．２２（Mbyte）を超えて記録されている場合には、当該ジャンルのＥＰＧデータを削除して、０．２２（Mbyte）以下にする。以後、当該ジャンルに係わるＥＰＧデータをメモリに記録しない。
【００２７】
また、例えば、前記メモリにジャンル：ニュースの全ＥＰＧデータが３（Mbyte）しか記録されていない場合には、当該ジャンルの全ＥＰＧデータが６．６（Mbyte）になるまで、受信した当該ジャンルに係わるＥＰＧデータを前記メモリに記録する。
【００２８】
上記のＥＰＧデータの記録処理では、ＥＰＧデータ取得指示を受けた時間帯に属するジャンルに係わるＥＰＧデータが優先的に記録される。
【００２９】
そして、視聴者が、ＥＰＧ表示を指示すると、前記テレビジョン受信装置は、図１の視聴時間記録テーブル５１を参照し、視聴時間の長いジャンルに属する番組をＥＰＧ画面に優先的に表示する。なお、表示方法については後述する。
【００３０】
このようにすることで、ＥＰＧデータ取得時の時間帯において、視聴者が頻繁に視聴する番組のジャンルに合わせたＥＰＧデータを記録することができるので、視聴者の嗜好に適したＥＰＧ表示を実現することができる。また、ＥＰＧデータ記録メモリを効率的に利用することができる。
更に、メモリの残存容量を監視し、当該残存容量が所定容量以下になった場合に、番組ジャンル毎の視聴時間に応じて、番組ジャンル毎のメモリ記録容量を割り当てることで、仮に、全ＥＰＧデータをメモリに記録できる場合には、削除処理を行うことがない。それ故、全ＥＰＧを表示することができる。また、処理負担を軽減できる。
【００３１】
図２は、上述したＥＰＧデータ記録処理を実行する、本発明に係わるテレビジョン受信装置１の機能ブロック図である。
１１は、複数のボタン等から構成される操作部で、視聴者は、当該操作部を介してテレビジョン受信装置１を操作する。なお、操作部１１は、リモコン等から構成してもよい。
【００３２】
１２は、テレビジョン受信装置１の状態情報などを表示する表示部、１３は、各種制御情報などを記録する制御用メモリである。
１４は、各機能ブロックを制御する制御部で、現時刻を計時する計時部１４ａを備える。なお、Ｂは、バスである。
【００３３】
１５は、チューナで、選局したデジタル放送信号を復調部１６に出力する。復調部１６は、チューナ１５からのデジタル放送信号を復調し、復調した信号に各種処理を施し、分離部１７に出力する。
【００３４】
復調部１６からの信号を受信した分離部１７は、当該信号の中から、ＡＶ（映像音声）データとＥＰＧデータ（ＳＩ）とを抽出・分離し、分離したＡＶデータをＡＶデータ処理部１８に出力する。また、分離したＥＰＧデータをＥＰＧデータ処理ユニット１９のＥＰＧデータ処理部１９１に出力する。
【００３５】
分離部１７からのＥＰＧデータを受信したＥＰＧデータ処理部１９１は、当該ＥＰＧデータをＥＰＧデータ記録用メモリ１９２に記録する。
【００３６】
１９３は、表示用ＥＰＧデータ作成部で、視聴者が操作部１１を介してＥＰＧ表示を指示すると、ＥＰＧデータ記録用メモリ１９２に記録されたＥＰＧデータに各種処理を施し、表示用ＥＰＧデータを作成する。そして、作成した表示用ＥＰＧデータを、液晶ディスプレイ等の表示装置２に出力する。
【００３７】
１９４は、視聴時間記録部で、図１の視聴時間記録テーブル５１を備え、番組ジャンル毎に、当該番組ジャンルに属する番組の視聴時間を、所定の時間帯毎に記録する。
【００３８】
１９５は、ＥＰＧデータ記録処理制御部で、ユーザからのＥＰＧデータ取得指示を受けると、視聴時間記録部１９４の視聴時間記録テーブル５１に記録された、当該取得指示を受けた時間に対応する時間帯における番組ジャンル毎の視聴時間に応じて、視聴時間の長い番組ジャンルに係わるＥＰＧデータを優先的にＥＰＧデータ記録用メモリ１９２に記録する。
【００３９】
分離部１７からのＡＶデータ等を受信したＡＶデータ処理部１８は、当該ＡＶデータをデコードし、各種映像処理を施した上で、表示装置２に出力する。
【００４０】
＜視聴時間の記録＞
まず、視聴時間の記録処理について説明する。
視聴者が、操作部１１を介して番組選局を指示すると、チューナ１５によって選局された番組のＥＰＧデータ（ＳＩ）がＥＰＧデータ処理部１９１に入力される。このとき、視聴時間記録部１９４は、前記ＥＰＧデータ内のＥＩＴから、選局された番組のジャンル情報を抽出する。
【００４１】
また、前記番組選局の指示を受けると同時に、視聴時間記録部１９４は、計時部１４ａから選局開始時間を取得する。
前記番組の視聴が一定時間継続した後、当該番組の視聴が終了すると、計時部１４ａから選局終了時間を取得し、番組視聴時間を算出する。
【００４２】
そして、抽出したジャンル（情報）及び視聴時間帯に該当する、視聴時間記録テーブル５１のマトリクスに前記番組視聴時間を加算記録する。
【００４３】
前述のように、視聴者が、例えば、ニュース番組（ジャンル：ニュース）を８：００（午前８時）から８：３０まで３０分間視聴すると、視聴時間記録部１９４は、視聴時間記録テーブル５１のジャンル：ニュースにおける視聴時間８：００〜の欄５１ｃに記録されている視聴時間に、新たに視聴時間“３０”を加算記録する。
【００４４】
なお、視聴時間が、例えば、７：５５〜８：２５のように、視聴時間記録テーブル５１の視聴時間欄５１ｂにおいて区切られている時間帯をまたぐ場合には、時間帯“４：００〜”の欄に“５”（７：５５〜８：００迄の５分間）、時間帯“８：００〜”の欄に“２５”（８：００〜８：２５迄の２５分間）を加算記録する。
【００４５】
＜ＥＰＧデータの記録処理＞
次に、ＥＰＧデータの記録処理について説明する。前述したように、視聴時間記録部１９４に視聴時間記録テーブル５１が記録されているとする。
【００４６】
視聴者が、操作部１１を介してＥＰＧデータ取得処理を指示すると、ＥＰＧデータ記録処理制御部１９５は、前記取得処理を指示した時間を計時部１４ａから取得する。
【００４７】
その後、チューナ１５によって、複数の放送局が送出するデジタル放送信号が順次受信され、当該デジタル放送信号に多重化されているＥＰＧデータがＥＰＧデータ処理部１９１に入力される。ＥＰＧデータを受信したＥＰＧデータ処理部１９１は、当該ＥＰＧデータをＥＰＧデータ記録用メモリ１９２に順次記録する。
このように、ＰＧデータ記録用メモリ１９２には、放送予定番組毎のＥＰＧデータが順次記録される。
【００４８】
同時に、ＥＰＧデータ記録処理制御部１９５は、前記メモリ１９２の残存容量を監視する。
前記残存容量が所定容量以下になり、このまま、ＥＰＧデータの受信・記録処理を続行すると、ＥＰＧデータ記録用メモリ１９２の記録容量を超える（オーバフロー）と前記制御部１９５が判断した場合、以下の処理を実行する。
【００４９】
前記判断がなされると、ＥＰＧデータ記録処理制御部１９５は、前述したように、図１の視聴時間記録テーブル５１を参照し、前記指示を受けた時間に対応する時間帯における総視聴時間を算出し、当該指示を受けた時間帯におけるジャンル毎の視聴時間を前記総視聴時間で除算した値を算出する。
前述の例では、ジャンル：ニュースで０．６、ジャンル：スポーツで０．０２が算出される。
【００５０】
そして、上記の除算処理によって算出された各数値に対して、ＥＰＧデータ記録用メモリ１９２の容量を乗算し、ジャンル毎のメモリ記録容量を割り当てる（算出）。
ここでは、ジャンル：ニュースで６．６（Mbyte）、ジャンル：スポーツで０．２２（Mbyte）が割り当てられる。
【００５１】
その後、ＥＰＧデータ記録処理制御部１９５は、ＥＰＧデータ記録用メモリ１９２に記録されている全ＥＰＧデータについて、ジャンル毎の総ＥＰＧデータ量を算出する。
なお、前記ジャンル毎の総ＥＰＧデータ量は、放送予定番組毎に記録されているＥＰＧデータのＥＩＴのジャンル情報を参照し、同一ジャンルのＥＰＧデータの総容量を求めることによって算出される。
【００５２】
算出された、ＥＰＧデータ記録用メモリ１９２に記録されている、あるジャンルの総ＥＰＧデータ量が、当該あるジャンルに対応する割り当てられたメモリ記録容量を超えている場合には、当該あるジャンルの総ＥＰＧデータ量が前記メモリ記録容量以下になるまで、超過する分の当該あるジャンルのＥＰＧデータを削除して、前記メモリ１９２の残存容量を増やす。
【００５３】
例えば、ＥＰＧデータ記録用メモリ１９２にジャンル：スポーツのＥＰＧデータが既に０．５（Mbyte）記録されている場合には、当該ジャンルのメモリ記録容量０．２２（Mbyte）になるまで、当該ＥＰＧデータを削除する（０．２８（Mbyte）分削除）。上記の削除処理においては、ＥＰＧデータ取得指示を受けた時間帯に属しないジャンルに係わるＥＰＧデータが先に削除される。
そして、以後、ＥＰＧデータ記録処理制御部１９５は、前記ジャンルのＥＰＧデータを前記メモリ１９２に記録しない。
【００５４】
一方、あるジャンルの総ＥＰＧデータ量が、当該ＥＰＧデータのメモリ記録容量を超えていない場合には、当該メモリ記録容量になるまで、当該ジャンルのＥＰＧデータを前記メモリ１９２に記録する処理を継続する。上記の記録処理においては、ＥＰＧデータ取得指示を受けた時間に対応する時間帯に属するジャンルに係わるＥＰＧデータが優先的に記録される。
なお、上記の記録処理を継続し、前記メモリ記録容量を超えた場合には、前記記録処理を中止する。
【００５５】
例えば、ＥＰＧデータ記録用メモリ１９２にジャンル：ニュースのＥＰＧデータが３．３（Mbyte）しか記録されていない場合には、当該ジャンルのメモリ記録容量６．６（Mbyte）になるまで、前記ジャンルのＥＰＧデータを前記メモリ１９２に記録する。
以後、全ジャンルについて、上記の削除処理を実行する。
【００５６】
そして、全放送局（全チャンネル）に係わるＥＰＧデータの受信／記録処理が終了するまでＥＰＧデータの受信／記録処理を実行する。なお、上記の削除処理を実行しても、ＥＰＧデータの受信／記録処理を継続するとＥＰＧデータ記録用メモリ１９２の記録容量を超える場合（オーバフロー）、前記受信／記録処理を中止する。
【００５７】
その後、視聴者が、ＥＰＧ表示を指示すると、表示用ＥＰＧデータ作成部１９３は、図１の視聴時間記録テーブル５１を参照し、視聴時間の長いジャンルに属する番組の情報がＥＰＧ画面に優先的に表示されるような表示用ＥＰＧデータを作成する。
上記の優先表示においては、視聴時間の長いジャンルに属する番組に係わる番組情報を強調表示してもよいし、画面中央部など視聴者の目に留まりやすい場所に表示されるようにしてもよい。
【００５８】
次に、上記のＥＰＧデータの受信／記録処理などについて図３のフロー図を用いて説明する。
まず、視聴者が、操作部１１を介してＥＰＧデータ取得処理を指示すると（ステップＳ１）、テレビジョン受信装置１は、各放送局が送出するＥＰＧデータを受信しＥＰＧデータ記録用メモリ１９２に記録する（ステップＳ２）。同時に、ＥＰＧデータ記録処理制御部１９５は、前記メモリ１９２の残存容量を監視する（ステップＳ３）。
【００５９】
ＥＰＧデータ記録処理制御部１９５がメモリ１９２の残存容量が所定容量以下になると判断すると（ステップＳ４／ＹＥＳ）、当該制御部１９５は、図１の視聴時間記録テーブル５１を参照し、前記指示を受けた時間に対応する時間帯における、ジャンル毎のメモリ記録容量を割り当てる（ステップＳ５）。
更に、ＥＰＧデータ記録用メモリ１９２に記録されている全ＥＰＧデータについて、ジャンル毎の総ＥＰＧデータ量を算出する（ステップＳ６）。
【００６０】
算出された、ＥＰＧデータ記録用メモリ１９２に記録されているあるジャンルの総ＥＰＧデータ量が、当該あるジャンルのメモリ記録容量を超えている場合には（ステップＳ７／ＹＥＳ）、当該あるジャンルの総ＥＰＧデータ量が前記メモリ記録容量以下になるまで、当該あるジャンルのＥＰＧデータを削除する（ステップＳ８）。以後、前記削除を実行したジャンルに属するＥＰＧデータを受信しても、前記メモリ１９２には記録しない。
【００６１】
一方、あるジャンルの総ＥＰＧデータ量が、当該あるジャンルのメモリ記録容量以下の場合には（ステップＳ７／ＮＯ）、当該メモリ記録容量になるまで、当該あるジャンルのＥＰＧデータを前記メモリ１９２に記録する（ステップＳ９）。
【００６２】
ステップＳ７における判定処理（ステップＳ８における削除処理）を全ジャンルについて実行する（ステップＳ１０／ＮＯ）。
全ジャンルについてステップＳ７における判定処理を実行すると（ステップＳ１０／ＹＥＳ）、次に、全放送局が送出するＥＰＧデータの取得処理が終了したか否かを判定する（ステップＳ１１）。
【００６３】
全放送局が送出するＥＰＧデータの取得処理が終了した場合には（ステップＳ１１／ＹＥＳ）、ステップＳ１２に移る。前記取得処理が終了しない場合には（ステップＳ１１／ＮＯ）、ステップＳ２に戻り、取得処理を継続する。なお、以後のステップＳ２における受信ＥＰＧデータをＥＰＧデータ記録用メモリ１９２に記録する処理においては、メモリ記録容量を超えたジャンルのＥＰＧデータについては、当該メモリ１９２には記録しない（ステップＳ８参照）。
その後、視聴者が、ＥＰＧ表示を指示すると、表示用ＥＰＧデータ作成部１９３は、視聴時間の長いジャンルに属する番組の情報をＥＰＧ画面に優先的に表示する（ステップＳ１２）。
【００６４】
（その他）
前述の実施例では、ジャンル毎の視聴時間の長さに比例して、当該ジャンルのＥＰＧメモリ記録容量を算出したが、例えば、一番視聴時間の長いジャンルについては、メモリの総記録容量の５０％、次に、視聴時間の長いジャンルについては同２５％のように、ジャンル毎の視聴時間の長い順に、当該ジャンルのＥＰＧメモリ記録容量を割り当ててもよい。
【００６５】
ＥＰＧデータ取得指示を受けた場合、ＥＰＧデータ記録処理制御部１９５は、ＥＰＧデータ記録用メモリ１９２に記録されている全データを、図示しないＨＤＤ等の大容量記録装置に移動するか（バックアップ）、又は、消去（初期化）するようにしてもよい。
【００６６】
メモリ容量が超えた場合に、ジャンル毎のメモリ記録容量を割り当てるのではなく、ＥＰＧデータ取得指示を受けた際に、ジャンル毎の視聴時間に応じて、ジャンル毎のメモリ記録容量を割り当ててもよい。この場合、ＥＰＧデータ記録処理制御部１９５が、前記ジャンル毎のメモリ記録容量を割り当てた後、順次受信されたＥＰＧデータのジャンル情報を参照し、前記ジャンル毎のメモリ記録容量に収まるように、受信されたＥＰＧデータをジャンル毎にＥＰＧデータ記録用メモリ１９２に記録する。
前述の実施例においては、視聴者が操作部１１を介してＥＰＧデータ取得処理を指示することにより、ＥＰＧデータの記録処理を行い、視聴者が操作部１１を介してＥＰＧ表示を指示することにより表示用ＥＰＧデータを液晶ディスプレイ等の表示装置２に出力する旨を述べたが、操作部１１を介したＥＰＧデータの取得には、選局操作に応じた番組の視聴に基づく場合も含むことは言うまでもない。
【図面の簡単な説明】
【００６７】
【図１】本発明の視聴時間記録テーブルの一例を示した図である。
【図２】本発明に係わるテレビジョン受信装置の機能ブロック図である。
【図３】ＥＰＧデータの受信／記録処理を説明するためのフロー図である。
【図４】従来の視聴時間記録テーブルの一例を示した図である。
【符号の説明】
【００６８】
１…テレビジョン受信装置、２…表示装置、１１…操作部、１２…表示部、１３…制御用メモリ、１４…制御部、１４ａ…計時部、１５…チューナ、１６…復調部、１７…分離部、１８…ＡＶデータ処理部、１９…ＥＰＧデータ処理ユニット、１９１…ＥＰＧデータ処理部、１９２…ＥＰＧデータ記録用メモリ、１９３…表示用ＥＰＧデータ作成部、１９４…視聴時間記録部、１９５…ＥＰＧデータ記録処理制御部、５１，１０１…視聴時間記録テーブル。
【図１】
2010093701.tif 000003
【図２】
2010093701.tif 000004
【図３】
2010093701.tif 000005
【図４】
2010093701.tif 000006